Podtech/llm-jp-corpus-v4-ja_patent huggingface dataset:
(57)【要約】      （修正有）【課題】股上の浅いボトムスを穿いて、前かがみになったとしても、下着が露出しにくいパンティストッキングを提供する。【解決手段】ストッキング部１２０とパンティ部１１０を備えたパンティストッキング１００を前提とする。そして、パンティストッキング１００は、上記パンティストッキング本体１３０のパンティ部１１０の開口上部に、透光性素材の筒状布地部を取り付けたことを特徴とする。上記筒状布地部の素材をレース編みのフリル１４０としてもよく、フリル１４０にギャザーを備えた構成を採用してもよい。【選択図】図１
0003158440.tif 000002
【実用新案登録請求の範囲】
【請求項１】
ストッキング部とパンティ部を備えたパンティストッキングにおいて、
前記パンティ部の開口上部に、透光性素材の筒状布地部を取り付けたことを特徴とするパンティストッキング。
【請求項２】
前記筒状布地部の素材をレース編みのフリルとした請求項１に記載のパンティストッキング。
【請求項３】
前記フリルにギャザーを備えた請求項２に記載のパンティストッキング。
【請求項４】
前記筒状布地部がパンティストッキング部から取り外し可能な請求項１から３いずれか一項に記載のパンティストッキング。
【考案の詳細な説明】
【技術分野】
【０００１】
本考案は、パンティストッキングに関する。
【背景技術】
【０００２】
女性用のパンティストッキング（以下タイツ等の内、パンティとストッキングの機能が備わったものも本発明のパンティストッキング１００に含める）に関しては、従来から様々な機能を施した技術が知られている。例えば、下記特許文献1に示すように、パンティ部における縫合せ部分が、編組織を密にすると共に補強糸が編み込まれたタイツが開示されている。
【先行技術文献】
【特許文献】
【０００３】
【特許文献１】特開平１０−１４０４０４号公報
【考案の概要】
【考案が解決しようとする課題】
【０００４】
上記従来技術のパンティストッキングのパンティ部分に、他の素材を縫い合わせるという発想はなかった。上記パンティストッキングに他の素材が縫い合わされていると、上記パンティストッキングを装着した上からパンツ（２本に分かれた筒に片脚ずつを入れて穿く衣服のボトムスの一種を称する。）又は、スカートが穿きにくいであろうとの配慮からである。
【０００５】
一方、従来のパンティストッキングを装着してから股上の浅いパンツを穿くと、前かがみになったときに、上記パンティストッキングからパンティ（下着を意味する）が外部に曝される（はみ出してしまう）ことがあった。いわゆるジーンズのようなボトムスには股上の浅いパンツは通常みられる構成であり、前かがみになったときでも、パンティが露出しないパンティストッキングが要請されていた。
【０００６】
本考案の目的は、股上の浅いボトムスを穿いて、前かがみになったとしても、下着が露出しにくいパンティストッキングを提供することにある。
【課題を解決するための手段】
【０００７】
上記課題を達成するための本考案は、ストッキング部とパンティ部を備えたパンティストッキングを前提とする。そして、本考案のパンティストッキングは、上記パンティストッキングのパンティ部の開口上部に、透光性素材の筒状布地部を取り付けたことを特徴とする。
上記の構成であると、パンティストッキングのパンティ部の開口上部に、透光性素材の筒状布地部（例えばレース編みのフリル）を取り付けたことで、当該布地部がパンティ等の下着を包むことになる。したがって、ユーザが股上の浅いズボン等のボトムスを着用したとしても、パンティ等が外部に曝されることを防ぐ。例えば、ユーザが前かがみになったとしても、パンティストッキングがずれて、パンティがさらされることがすくなくなる。
【０００８】
上記の構成において、筒状布地部の素材をレース編みのフリルとしてもよく、フリルにギャザーを備えた構成を採用してもよい。また、筒状布地部がパンティストッキング部から取り外し可能に構成すると、必要なときのみ、上記布地部をパンティストッキング部に取り付けることが可能となる。
【考案の効果】
【０００９】
本考案は、パンティストッキングのパンティ部の開口上部に、透光性素材の筒状布地部を取り付けることで、当該筒状布地部がパンティ等の下着を包みこみ、前かがみになったとしても、パンティ等が外部に露出することを防ぐことになる。
【図面の簡単な説明】
【００１０】
【図１】本考案の実施形態に係るパンティストッキングの全体構成を示す概念図である。
【図２】本考案の実施形態に係るパンティストッキングの背面図である。
【図３】本考案の実施形態に係るパンティストッキングの側面図である。
【考案を実施するための形態】
【００１１】
以下に、本考案のパンティストッキング１００について図面を参照して説明する。図１は、本考案のパンティストッキング１００の全体構成を示す概略模式図である。ただし、本考案に直接には関係しない各部の詳細は省略している。
すなわち、図１に示すように、本考案のパンティストッキング１００は、まず、ストッキング部１２０、とパンティ部１１０を一体に編み上げ、ストッキング部１２０の爪先１２１を縫合処理してパンティストッキング本体１３０を形成する。そして、上記パンティストッキング本体１３０の上部開口部分に、透光性素材の筒状布地部（例えば、レース編み処理をしたフリル１４０）を結合する。
【００１２】
上記フリル１４０は、縫い合わせや、熱溶着等いずれかの方法で結合される。ファスナ等により、フリル１４０が取り外し可能なパンティストッキング１００の構成を採用しても構わない。さらに、上記フリル１４０の表面にはギャザーが形成されても構わない。
以下フリル１４０を縫い合わせる場合を例として記載する。上記フリル１４０の素材は、伸縮性のあるレース地であって一部分がストッキング地と重ねられて縫合される。伸縮性のあるレース地から構成されることで、フリル１４０が十分な伸縮機能を有すると共にレース模様によってデザイン性に優れたものとなる。さらにフリル１４０の保温性を確保しつつ、通気性を確保することができる。
【００１３】
上記構成のパンティストッキング１００を穿いた場合、上記フリル１４０にパンティが隠れることで、たとえ、股上のかなり浅いボトムスを穿いたとしても、前かがみ等の際に、上記パンティがはみ出し、外部に曝されることを防ぐことになる。
【産業上の利用可能性】
【００１４】
本考案を使用すると、フリル１４０がパンティ等の下着を包むことで、前かがみ等になっても、パンティが外部に曝されることがなくなる。したがって、その産業上の利用可能性は大きい。
【符号の説明】
【００１５】
１００  パンティストッキング
１１０  パンティ部
１２０  ストッキング部
１３０  パンティストッキング本体
１４０  フリル（透光性素材の筒状布地部）
【図１】
0003158440.tif 000003
【図２】
0003158440.tif 000004
【図３】
0003158440.tif 000005
(57)【要約】      （修正有）【課題】バス旅行など車中における同乗者や運転者に迷惑をかけずに、日焼け防止の効果が高く、かつ、景色を見ることができ、途中で居眠りをしても寝顔を他人に見られない日焼け防止用品を提供する。【解決手段】頭部から頚部まで本体布地の中央付近に、両目が見える間隔で左右に２個の孔をあける。布地にＵＶカット剤を塗布する。【選択図】図１
0003158790.tif 000002
【実用新案登録請求の範囲】
【請求項１】
頭部から頚部まで覆う大きさの布地の中央付近に、両目が見える間隔の孔を左右に２個設けた日焼け防止用ハンカチ。
【請求項２】
請求項１の布地にＵＶカット剤を塗布した日焼け防止用ハンカチ。
【考案の詳細な説明】
【産業上の利用分野】
【０００１】  本考案は、バス旅行など車の中で日焼けを防止しながら、同乗者や運転者に迷惑をかけずに、景色を見ることを可能にし、途中で居眠りをしても顔全体が見えないので寝顔を他人に見せることはないため、恥ずかしさを防止することも可能にした日焼け防止用ハンカチである。
【背景技術】
【０００２】  従来のこの種の日焼け防止用品は、車窓に布地などを貼付けたり、車窓にあらかじめ設置されているカーテンなどを利用するものが主流であったが、他の同乗者が景色を見ることが出来ないため不都合が生じた。また、乗用車などでは運転者が側面を確認できず、安全運転上問題があった。帽子やサンバイザーなども日焼け防止用品として使用されるが、顔全体を覆うことが出来ないので効果が少なかった。顔全体をそっくり覆うマスク状の日焼け防止用品もあるが、バス旅行などの環境には不適切である。また、顔につける日焼け防止用クリームもあるが、汗をかくと効果が少なくなり、居眠りをすると寝顔を他人に見られてしまう欠点があった。
【考案が解決しようとする課題】
【０００３】  バス旅行など車中で日焼け防止をしながら、同乗者や運転者に迷惑をかけずに景色を見たり、かつ、途中で居眠りをしても寝顔を他人に見られることのないものを提供する。
【課題を解決するための手段】
【０００４】  頭部から頚部まで覆う本体布地の中央付近に、両目が見える間隔で左右に２個の孔をあけることにより、孔を通じて景色を見ることができるとともに、両目以外は布地に覆われているため日焼け防止となり、かつ、居眠りをしたときは寝顔を他の者に見られることなく居眠りが出来ることを可能にした。
【考案の効果】
【０００５】  本考案は、容易に着脱が可能なため、日差しの状況に応じて使用することが出来、また、ハンカチとしても利用することが出来ることから応用範囲が広く利便性が高い。
【実施例】
【０００６】  本考案は、頭部から頚部まで覆う本体布地１の中央付近に、両目が見える間隔で左右に２個の孔２をあけることにより、孔を通じて景色を見ることができるとともに、両目以外は布地に覆われているため日焼け防止となり、かつ、居眠りをしたときは寝顔を他の者に見られることなく居眠りが出来る。本体布地が薄手の布地の場合はＵＶカット剤を布地に塗布することにより、日焼け防止効果が高くなる。
【図面の簡単な説明】
【図１】本考案の実施例を分かりやすく表示した平面図である。
【符号の説明】  １本体  ２孔
【図１】
0003158790.tif 000003
【手続補正書】
【提出日】平成22年1月28日(2010.1.28)
【手続補正１】
【補正対象書類名】実用新案登録請求の範囲
【補正対象項目名】全文
【補正方法】変更
【補正の内容】
【実用新案登録請求の範囲】
【請求項１】
頭部から頚部まで覆う大きさの布地の中央付近に、両目が見える間隔の孔を左右に２個設けた日焼け防止用ハンカチ。
【請求項２】
前記布地にＵＶカット剤を塗布した請求項１に記載の日焼け防止用ハンカチ。
(57)【要約】      （修正有）【課題】えんぴつ、万年筆並にねかせ気味にしても筆記できるボールペンを提供する。【解決手段】ボールペンボディ内にボールペンのしんＢがボディに対して１０°位の角度Ｄをもって収納Ｃできる様に通路を設け、又ボールペンボディの先端部、しんの出口がボディに対して１０°位の角度をもつ様にしてボールペンＡを構成する。【選択図】図１
0003158782.tif 000002
【実用新案登録請求の範囲】
【請求項１】
ボールペン本体のボールペンしんの収納部に、ボールペンしんがボールペン本体に対して１０°位の角度をもつように通路を設けたボールペン。
【請求項２】
ボールペン本体の先端、ボールペンしんの出口が本体に対して１０°位の角度をもったボールペン。
【考案の詳細な説明】
【技術分野】
【０００１】本考案はボールペンに関するものである。
【背景技術】
【０００２】従来のボールペンにおいてはデザイン、書き味等は進歩してきているわけであるが、他の筆記具であるえんぴつ、万年筆に較べて書面に対して一定の角度４５°〜９０°位でないと筆記できない欠点があった。特に筆記具をねかせ気味にして筆記する場合は筆記できないもので、この点において改善すべきものであると思われる。
【考案の開示】
【考案が解決しようとする課題】
【０００３】上記の様に従来のボールペンの欠点である  ねかせ気味にすると筆記できない点を解決するために本考案を提案するものである。
【課題を解決するための手段】
【０００４】えんぴつ、万年等並に、ねかせ気味にしても筆記できるボールペンを考案したものであるが、ボールペンのしんが、ボールペンボディに対して１０°位の角度をもつ様に、ボールペンのボディ内に通路を設け、又ボールペンボディの先端部、しんの出口をボディに対して１０°位の角度をもつ様にして、ねかせ気味にしても筆記できるボールペンを考案したものである。
【考案の効果】
【０００５】上記の様に従来のボールペンに較べ、ペン先が１０°位の角度をもっているために、えんぴつ、万年筆並にねかせ気味にしても筆記出来るボールペンが実現できるものである。
【考案を実施するための最良の形態】
【０００６】ボールペンは大別すると、しんとボディから成っているのであるがボディ内部と先端部、しんの出口をボディに対してしんが１０°位角度をもつ様にボディ内のしんの収納部、ボディのしんの出口を設ける事により、ねかせ気味にしても筆記出来るボールペンが可能となるものである。
【図面の簡単な説明】
【図１】ボールペンボディ内部及び先端部にボールペンのしんがボディに対して１０°位の角度で収っている図面。
【符号の説明】Ａ  ボールペン本体
Ｂ  ボールペンのしん
Ｃ  ボールペン本体のしん収納部
Ｄ  ボールペン本体に対して、しんの角度
【図１】
0003158782.tif 000003
【手続補正書】
【提出日】平成22年1月27日(2010.1.27)
【手続補正１】
【補正対象書類名】実用新案登録請求の範囲
【補正対象項目名】全文
【補正方法】変更
【補正の内容】
【実用新案登録請求の範囲】
【請求項１】
ボールペン本体のボールペンしんの収納部にボールペン本体内部のまん中中心線に対して１０°位の角度をもつように通路を設けたボールペン。
【請求項２】
ボールペン本体の先端ボールペンしんの出口がボールペン本体内部のまん中中心線に対して１０°位の角度をもったボールペン。
(57)【要約】      （修正有）【課題】外出先等でのメモ記入をスムーズにし、またそのメモのスマートかつ合理的な保管管理を可能とする首かけネームホルダーを提供する。【解決手段】首提げ式ネームホルダー２の裏面に、扉式にメモ台紙兼保護カバー３を取り付け、そこに付箋メモをすえつける。また、ネームホルダー本体２と台紙兼保護カバー３はマグネット等１による開閉とする。これを使用するときは、ネームホルダーに取り付けられた保護カバーを開き、付箋メモ用紙にメモを取ればよい。保護カバーはマグネット等でとめられているので開閉も容易であり、メモの台紙も兼用になっているのでメモも取りやすくなっている。またカバーが付いていることでメモ用紙の紛失や破損も防ぐことができる。【選択図】図１
0003158774.tif 000002
【実用新案登録請求の範囲】
【請求項１】
裏面に付箋メモ用紙を備え付けた首かけのネームホルダー、カードホルダー
【考案の詳細な説明】
【技術分野】
【０００１】この発明は、首下げ式のネームホルダーに付箋メモと台紙兼用のカバーの付いた付箋メモ付ネームホルダーに関するものである。
【背景技術】
【０００２】従来、ネームホルダーとメモ帳はまったく別個のものとして携帯しなくてはならないものであった。
【考案の概要】
【考案が解決しようとする課題】
【０００３】これは次のような欠点があった。
（イ）外出先等でメモを取る場合、せっかくとったメモをなくしてしまう、またはそのメモをどこに書いたか忘れてしまい困ってしまう。
（ロ）外出先でとったメモを再び書き直して保存しなければならず二度手間になってしまう。
本発明は、以上のような欠点をなくすためになされたものである。
【課題を解決するための手段】
【０００４】首から提げているネームホルダー２の裏に付箋メモ用紙を備え、またそのメモを取るときの台紙も兼用するカバー３を取り付ける。
本発明は、以上の構成よりなる  付箋メモ付ネームホルダーである。
【考案の効果】
【０００５】（イ）首提げ式のネームホルダーに付箋メモを備えることにより、確実にメモを取ることができ、取ったメモをなくしたり、忘れたりしない。
（ロ）付箋式のメモなので、転記したり書き直したりすることなく、貼り変えるだけで保存、管理が可能である。
【図面の簡単な説明】
【０００６】
【図１】  本考案の正面図である
【考案を実施するための形態】
【０００７】以下、本考案を実施するための形態について説明する。
首提げ式ネームホルダー２の裏面に、扉式にメモ台紙兼保護カバー３を取り付け、そこに付箋メモをすえつける。また、ネームホルダー本体２と台紙兼保護カバー３はマグネット等１による開閉とする。
本考案は、以上のような構成である。
これを使用するときは、ネームホルダーに取り付けられた保護カバーを開き、付箋メモ用紙にメモを取ればよい。保護カバーはマグネット等でとめられているので開閉も容易であり、メモの台紙も兼用になっているのでメモも取りやすくなっている。またカバーが付いていることでメモ用紙の紛失や破損も防ぐことができる。
【符号の説明】１  マグネット等
２  ネームホルダー本体
３  メモ台紙兼保護カバー
４  首提げ紐取り付けパーツ
５  首提げ紐
６  メモ用紙
【図１】
0003158774.tif 000003
【手続補正書】
【提出日】平成21年12月26日(2009.12.26)
【手続補正１】
【補正対象書類名】実用新案登録請求の範囲
【補正対象項目名】全文
【補正方法】変更
【補正の内容】
【実用新案登録請求の範囲】
【請求項１】
裏面に付箋メモ用紙を備え付けた首かけのネームホルダー
(57)【要約】      （修正有）【課題】カビの発生や細菌の繁殖を防ぐことができる、清潔なスポンジ状こんにゃく成形体からなる洗浄具を提供する。【解決手段】こんにゃくを凍結、解凍、乾燥または脱水して作られたスポンジ状こんにゃくにポリアミノプロピルビグアナイドを溶解させた水溶液を１０〜３０％含浸させる。【選択図】図１
0003158780.tif 000002
【実用新案登録請求の範囲】
【請求項１】
こんにゃくを凍結、解凍、乾燥または脱水してなるスポンジ状こんにゃくにポリアミノプロピルビグアナイドを溶解した水溶液を１０〜３０％含浸させてなることを特徴とするスポンジ状こんにゃく成形体
【考案の詳細な説明】
【技術分野】
【０００１】この考案は顔および体の皮膚の洗浄用に使用する用具に関する。
【背景技術】
【０００２】こんにゃくを凍結、解凍、乾燥または脱水して作られたスポンジ状こんにゃく成形体を含水させて柔らかくして、洗浄具として使用されている。
【考案の開示】
【考案が解決しようとする課題】
【０００３】含水させたこんにゃくはカビが発生したり、細菌が繁殖して保管が困難であった。
【課題を解決するための手段】
【０００４】こんにゃくを凍結、解凍、乾燥または脱水してなるスポンジ状こんにゃくにポリアミノプロピルビグアナイドを溶解した水溶液を１０〜３０％含浸させる。
【考案の効果】
【０００５】ポリアミノプロピルビグアナイドは化粧品に使用を許されている安全な抗菌、抗カビ効果をもつ薬剤で、この水溶液を１０〜３０％含浸させることにより、カビの発生を防ぎ、細菌の繁殖を防ぎ、清潔な状態でスポンジ状こんにゃく成形体を保管することができる。
【実施例】
【０００６】スポンジ状こんにゃく成形体にポリアミノプロピルビグアナイド０．１重量％溶解させた水溶液を１０〜３０％含浸させる。
【産業上の利用可能性】
【０００７】スポンジ状こんにゃく成形体を含水させて、カビや細菌の発生、繁殖を防いで、清潔な状態で保管することができる。
0003158780.tif 000003
【手続補正書】
【提出日】平成22年1月20日(2010.1.20)
【手続補正１】
【補正対象書類名】実用新案登録請求の範囲
【補正対象項目名】全文
【補正方法】変更
【補正の内容】
【実用新案登録請求の範囲】
【請求項１】
多数の微細孔を有してなるスポンジ状こんにゃくにポリアミノプロピルビグアナイドを溶解した水溶液を１０〜３０％含浸させてなることを特徴とするスポンジ状こんにゃく成形体からなる洗浄具
【手続補正２】
【補正対象書類名】明細書
【補正対象項目名】全文
【補正方法】変更
【補正の内容】
【考案の詳細な説明】
【技術分野】
【０００１】この考案は顔および体の皮膚の洗浄用に使用する用具に関する。
【背景技術】
【０００２】こんにゃくを凍結、解凍、乾燥または脱水して作られたスポンジ状こんにゃく成形体を含水させて柔らかくして、洗浄具として使用されている。
【考案の開示】
【考案が解決しようとする課題】
【０００３】含水させたこんにゃくはカビが発生したり、細菌が繁殖して保管が困難であった。
【課題を解決するための手段】
【０００４】こんにゃくを凍結、解凍、乾燥または脱水してなるスポンジ状こんにゃくにポリアミノプロピルビグアナイドを溶解した水溶液を１０〜３０％含浸させる。
【考案の効果】
【０００５】ポリアミノプロピルビグアナイドは化粧品に使用を許されている安全な抗菌、抗カビ効果をもつ薬剤で、この水溶液を１０〜３０％含浸させることにより、カビの発生を防ぎ、細菌の繁殖を防ぎ、清潔な状態でスポンジ状こんにゃく成形体を保管することができる。
【実施例】
【０００６】スポンジ状こんにゃく成形体にポリアミノプロピルビグアナイド０．１重量％溶解させた水溶液を１０〜３０％含浸させる。
【産業上の利用可能性】
【０００７】スポンジ状こんにゃく成形体を含水させて、カビや細菌の発生、繁殖を防いで、清潔な状態で保管することができる。
【図面の簡単な説明】
【０００８】
【図１】スポンジ状こんにゃく成形体に微細孔があり、微細孔にポリアミノプロピルビグアナイド溶液を保持している。
【手続補正３】
【補正対象書類名】図面
【補正対象項目名】全図
【補正方法】変更
【補正の内容】
【図１】
0003158780.tif 000004
(57)【要約】      （修正有）【課題】横に移動させ、折りたたまれた日よけを開くことにより長くし、運転席又は助手席にて横から入射する太陽光を遮ることが出来る自動車用の折りたたみ日除けを提供する。【解決手段】２つの日除けをヒンジ２で接続した折りたたみ式日除けに、日除けアームを取り付け、日除けアームを車体に対してブラケットとネジを介して回動可能に取り付ける。日除けアームを回動することによって折りたたみ式日除けをドア側に移動させることができる様に折りたたみ式日除けを構成する。【選択図】図１
0003158771.tif 000002
【実用新案登録請求の範囲】
【請求項１】
従来ある日除けに折りたたみ式に同程度の日除けを付け、必要な時にドア側に移動して、簡単に開いて自動車の横からの太陽光を遮断することを特徴とする日除け。
【考案の詳細な説明】
【技術分野】
【０００１】  本考案は、自動車の横のドアからの日光を遮る為に設けた、日除けに関するものである
【背景技術】
【０００２】  自動車は前面及び側面ガラスは透明であり、可視光線の透過率が７０％以上であることが道路運送車両法にて義務づけられている為、太陽光が直接室内に入り、従来の日除けでは前面ガラスの上部に設置され、前からの光に必要な時におろして使用には有効であるが、ドア側の横からには移動しても日除けには前面ガラス中央部にルームミラーが付いている為に長くできず、充分な役目を果たさなかった。
【考案の概要】
【考案が解決しようとする課題】
【０００３】  横からの太陽光は夏になれば暑く、防ぎようがなくて大変である。従って、日除け機能を長くすることにより、日光を遮ることを可能にして、前述の欠点を解決しようとするものである。
【問題を解決するための手段】
【０００４】  本考案は、日除けにもう一つ同程度の開閉自在な日除けがついた本考案品を付けかえて、普段は今まで通り使用して、横からの日光を遮る必要時に片手で簡単に開いて、長くして使用することにより問題を解決している。
【考案の効果】
【０００５】  上述のように、日除けを折りたたみ式にして長くすることにより、横からの暑さ、眩しさ、日焼け、紫外線等の防止として役立つ。
【図面の簡単な説明】
【０００６】
【図１】本考案の日除けを開いた状態である。
【考案を実施する為の形態】
【０００７】  従来の日よけの取り付け２本のビスを外し、同所に新たに本品の折りたたみ式日除けを取替後、必要に応じ横に移動して日除けを開き使用する。
【実施例】
【０００８】  上述のように、本品と取り替える事により、横からの太陽光が差し込む時に、移動して開く事により長くなり、まぶしさや日焼け等を防止るることが出来る。
【産業上の利用の可能性】
【０００９】  紫外線から人体を守る為には有効である。
【図面の簡単な説明】
【００１０】
【図１】普通の日除けに同程度の日除けをヒンジにて付け足した図面である。
【符号の説明】
【００１１】１    普通の日除け
１ａ  付け足した日除け
２    開閉自在ヒンジ位置
【図１】
0003158771.tif 000003
【手続補正書】
【提出日】平成21年12月3日(2009.12.3)
【手続補正１】
【補正対象書類名】実用新案登録請求の範囲
【補正対象項目名】全文
【補正方法】変更
【補正の内容】
【実用新案登録請求の範囲】
【請求項１】
自動車前面ガラス上の細長い日除けの車体取り付けブラケット及びアームの反対側の横に、もう一つの同程度の日除けを上下２ケのヒンジにて付け足した開閉自在な折りたたみ式日除けと取替、通常は折りたたんだまま今までと同様に使用し、横からの太陽光が差し込む時に、前面ガラス上の車体取り付けブラケットからでている左右に動くアームを介してドア側に回転してから、片手で簡単に横に開いて日除けを長くし、自動車の横からの太陽光を遮断することを特徴とする折りたたみ式日除け。
【手続補正２】
【補正対象書類名】明細書
【補正対象項目名】全文
【補正方法】変更
【補正の内容】
【考案の詳細な説明】
【技術分野】
【０００１】本考案は、自動車の横からの日光を遮る為に設けた、日除けに関するものである。
【背景技術】
【０００２】  自動車は前面及び側面ガラスは透明であり、可視光線の透過率が７０％以上であることが道路運送車両法にて義務づけられている為、太陽光が直接室内に入り、従来の日除けでは前面ガラスの上部に設置され、前からの太陽光には必要な時に降ろして使用するには有効であるが、ドア側の横からには移動しても日除けには前面ガラス中央部にルームミラーが付いている為に長くできず，充分な役目を果たさなかった。
【考案の概要】
【考案が解決しようとする課題】
【０００３】  横からの太陽光は夏になれば暑く、防ぎようがなくて大変である。従って、日除け機能を長くする事により、太陽光を遮ることを可能にして、前術の欠点を解決しようとするものである。
【課題を解決するための手段】
【０００４】  本考案は、日除けにもう一つ同程度の開閉自在な日除けがついた本考案品を付けかえて、普段は今まで通り使用して、横からの太陽光を遮る必要時に片手で簡単に開いて、長くして使用することにより問題を解決している。
【考案の効果】
【０００５】  上述のように、日除けを折りたたみ式にして長くする事により、横からの暑さ、眩しさ、日焼け、紫外線等の防止として役立つ。
【図面の簡単な説明】
【０００６】
【図１】  本考案の日除けを前面ガラス上から降ろして、横に移動して開いて実施する。
【考案を実施するための形態】
【０００７】  自動車の前面ガラス上のある日除けの取り付け２本のビスを外し、同所に新たに本品の折りたたみ式日除けを取替後、必要に応じ横に移動して日除けを開き使用する。
【実施例】
【０００８】  上述のように、本品と取替る事により、横からの太陽光が差し込む時に横に移動して開く事により長くなり、眩しさや日焼けを防止することが出来る。
【産業上の利用の可能性】
【０００９】  紫外線から人体を守る為には有効である。
【符号の説明】
【００１０】  １    日除けと日除けをヒンジで介して開いた状態
２    日除けと日除けのヒンジの位置
３    前面ガラス上の車体取り付けネジ穴  ２ヶ所
４    左右に動く日除けアーム
５    前面ガラス上の車体取り付けブラケット
【手続補正３】
【補正対象書類名】図面
【補正対象項目名】全図
【補正方法】変更
【補正の内容】
【図１】
0003158771.tif 000004
【手続補正書】
【提出日】平成22年2月4日(2010.2.4)
【手続補正１】
【補正対象書類名】実用新案登録請求の範囲
【補正対象項目名】全文
【補正方法】変更
【補正の内容】
【実用新案登録請求の範囲】
【請求項１】
２つの日除けをヒンジで接続することによって折りたたむことができる折りたたみ式日除けであって、折りたたみ式日除けに日除けアームを取り付け、日除けアームを車体に対してブラケットとネジを介して回動可能に取り付けて、日除けアームを回動することによって折りたたみ式日除けをドア側に移動させることができることを特徴とする折りたたみ式日除け。
(57)【要約】【課題】上階や隣室からの落下物、飛来物及び突起物等による災害或いは火災災害に耐え、かつ、木造家屋と調和し、段差や段違いなど違和感の無い災害用鋼製組シェルター部屋を提供する事にある。【解決手段】複数の部屋を有する木造家屋において、少なくても１部屋以上を災害用鋼製組シェルター部屋としたことを特徴とする木造家屋である。その災害用鋼製組シェルター部屋は、構造材の土台・大引き・柱・胴縁・壁・梁・桁・梁つなぎ・火打ち・天井のすべてが鋼製で造られ、工場生産又は現場組立で柱間、梁間にＣチャンネルを取付け、鋼板を溶接接合して、一体化させるのを特徴とするものである。【選択図】図３
0003158775.tif 000002
【実用新案登録請求の範囲】
【請求項１】
木造家屋において１部屋以上の部屋を火災・地震・竜巻・土石流等の災害から人命と財産を守る鋼製組シェルターを構築することを特徴とする災害用鋼製組シェルター部屋を有する木造家屋。
【請求項２】
災害用鋼製組シェルター部屋が、構造材である土台・大引き・火打ち土台・柱・胴縁・壁板・桁・梁・梁つなぎ・天板・火打ち梁のすべてが鋼製で造られ、壁においては、土台・柱・桁間に、天井においては梁・桁・梁つなぎ・火打ち梁の上部に鋼板を溶接して、一体化させる構造である請求項１に記載の災害用鋼製組シェルター部屋を有する木造家屋。
【考案の詳細な説明】
【技術分野】
【０００１】本発明は、災害用鋼製組シェルター部屋を置く木造家屋に関するものである。
【背景技術】
【０００２】従来のシェルター部屋を有する木造家屋としては、木製の軸組構造材から構成される木造シェルター部屋を有する木造家屋というものがあった。（特開２００９−９７２３５公開公報）。また鋼製の柱を使用したシェルター部屋もある（特開平８−３１２１９３公開公報）
しかし前記のシェルター部屋は上階からの落下物などには耐えられるが、隣室からの火災や突起物には弱いという面がある。
【先行技術文献】
【特許文献】
【０００３】
【特許文献１】特開２００９−９７２３５公開公報
【特許文献２】特開平８−３１２１９３公開公報
【考案の概要】
【考案が解決しようとする課題】
【０００４】本考案が解決しようとする課題は、上階や隣室からの落下物、飛来物及び突起物等による災害或いは火災災害に耐え、かつ、木造家屋と調和し、段差や段違いなど違和感の無い災害用鋼製組シェルター部屋を提供する事にある。
【課題を解決するための手段】
【０００５】本考案は複数の部屋を有する木造家屋において、少なくても１部屋以上を災害用鋼製組シェルター部屋としたことを特徴とする木造家屋である。さらに本考案の災害用鋼製組シェルター部屋は、構造材の土台・大引き・柱・胴縁・壁・梁・桁・梁つなぎ・火打ち・天井のすべてが鋼製で造られ、工場生産又は現場組立で柱間、梁間にＣチャンを取付け鋼板を溶接し一体化させるのを特徴とするものである。このような構造の災害用鋼製組シェルター部屋を木造家屋内に構築する事により、問題点を解決している。
【考案の効果】
【０００６】本考案の災害用鋼製組シェルター部屋を１部屋以上構築することによって、耐震性を高め、地震等による建物の倒壊を防止する。また鋼製板の壁を使用するため台風・竜巻による室内への飛来物の侵入や土石流等による土石類や樹木等の流入の災害から人命と財産を守る。しかも鋼製板の壁を使用するため、防火・気密・遮音にも有効である。【０００７】本考案の災害用鋼製組シェルター部屋は、木造柱と同寸法の鋼製柱とＣチャンネル鋼を使用して構成されてるため、従来方式の木造家屋の他の部屋の壁面とも並行・並列な壁面に仕上げることができる。そのために木造家屋に調和し、違和感も無く、居住性においても快適な災害用鋼製組シェルター部屋を提供できる。
さらに、本考案の災害用鋼製組シェルター部屋は、トラス・ブレース及びプレート等を使用しない為、工期短縮になり、軽量・スリムに仕上がるためコストダウンの効果もある。【０００８】本考案の災害用鋼製組シェルター部屋は、工期もコスト面でも木造家屋とほぼ同等に造ることが出来るので安全性が高く、安価である。
【図面の簡単な説明】
【０００９】
【図１】「本発明の災害用鋼製組シェルター部屋一実施例を示す平面図である。
【図２】「災害用鋼製組シェルターの床伏図である。
【図３】「災害用鋼製組シェルターの図２のＡ〜Ａ´で示した部分の断面図である。
【図４】「災害用鋼製組シェルターの小屋伏図である。
【考案を実施するための形態】
【００１０】以下、本考案の災害用鋼製組シェルター部屋を有する木造家屋の一実施例について、図面を参照しながら説明する。
【実施例】
【００１１】図１において、１は鋼製組シェルター部屋、２は木造家屋である。【００１２】図２の床伏図で明らかなように、鋼製組シェルター部分の土台１２と大引１３と土台火打１４は鋼製で、溶接とボルトで接合されている。【００１３】図３の断面図で明らかなように、鋼製組シェルターの軸組の柱１１と桁・梁１５と胴縁１７は鋼製でボルト接され、柱間に鋼板１８をはめ込み溶接接合されている。鋼板１８を溶接接合する事で、災害時に隣室からの突起物・火災等を防ぐ役割を果たす。また、鋼板１８を溶接接合する事で、耐力壁となり建物の歪みやねじれや倒壊を防ぐ効果がある。【００１４】図４の小屋伏図で明らかなように、梁つなぎ１６と火打ち梁１９は鋼製で、それぞれボルトと溶接で接合され、上部の天井面すべてを覆うように鋼板２０を配置し、桁・梁１５と梁つなぎ１６に溶接接合する。鋼板２０を溶接接合する事によって、上階からの落下物・火災の延焼を防ぐとともに、水平力及びせん断力が増すために、建物の歪みやねじれや倒壊を防ぐことができる。【００１５】本考案の鋼製組シェルターは目的や用途に応じて、上下同じ位置での複数階建ても可能である。
【符号の説明】
【００１３】１      災害用鋼製組シェルター部屋
２      木造家屋
１１    鋼製柱
１２    鋼製土台
１３    鋼製大引き
１４    鋼製火打ち土台
１５    鋼製桁・梁
１６    鋼製梁つなぎ
１７    鋼製胴縁
１８    鋼板（壁）
１９    鋼製火打ち梁
２０    鋼板（天井）
３１    木製柱
３２    木製土台
３３    木製桁
【図１】
0003158775.tif 000003
【図２】
0003158775.tif 000004
【図３】
0003158775.tif 000005
【図４】
0003158775.tif 000006
【手続補正書】
【提出日】平成21年12月16日(2009.12.16)
【手続補正１】
【補正対象書類名】実用新案登録請求の範囲
【補正対象項目名】全文
【補正方法】変更
【補正の内容】
【実用新案登録請求の範囲】
【請求項１】
木造家屋において１部屋以上の部屋を火災・地震・竜巻・土石流等の災害から人命と財産を守る災害用鋼製組シェルターであって、災害用鋼製組シェルター部屋が、構造材である土台・大引き・火打ち土台・柱・胴縁・壁板・桁・梁・梁つなぎ・天板・火打ち粱のすべてが鋼製で造られ、壁においては、土台・柱・桁間に、天井においては梁・桁・梁つなぎ・火打ち梁の上部に鋼板を溶接して、一体化させる構造であることを特徴とする災害用鋼製組シェルター部屋を有する木造家屋。
(57)【要約】      （修正有）【課題】人工毛（又は人毛）と自毛を結着させる際に用いる作業用プレートを提供する。【解決手段】部材の特徴として、１枚のプレート１であり撓曲自在の弾力性と適度の厚さがある。プレートの適所に貫通穴２を設ける。貫通穴上部で自毛を垂直に持ち上げる事により根元部分を確認することが出来る。プレートの１側面適所より貫通穴に通じる自毛誘導溝３を設ける。この溝は結着しようとする自毛１本のみを選出するための溝である。【選択図】図１
0003158779.tif 000002
【実用新案登録請求の範囲】
【請求項１】
１枚の薄板状のプレートと、該プレートの板面に貫通形成された貫通穴とプレート側面から貫通穴までプレート面を貫通する溝状に形成された自毛誘導溝とからなることを特徴とする増毛用作業プレートである。
【請求項２】
撓曲自在な薄板状の部材で構成されていることを特徴とする、請求項１記載の増毛用作業用プレート。
【考案の詳細な説明】
【技術分野】
【０００１】本考案は人工毛（又は人毛）と自毛を結着させる際に用いる作業用プレートである
【背景技術】
【０００２】特開平６−２２０７では、適材適所に貫通孔を有するプレートと、このプレートの一側面の前記貫通孔の周囲に結節用の環部が装着される増毛用毛髪と、この増毛用毛髪の環部を前記プレートに仮止めする仮止め手段とから成り、前記プレートの周縁部には前記貫通孔から通した自毛を挟むことができる切欠部が形成されている。更に２枚プレートを必要としている。
【先行技術文献】
【特許文献】
【特許文献１】特開平６−２２０７号公報
【考案の概要】
【考案が解決しようとする課題】
【０００３】特開平６−２２０７の結節具は、２枚のプレートから成り、増毛用毛髪を仮止めする仮止め手段と、自毛を挟むための切欠部等を設けているため構造が複雑であり作業工程が多く施術に時間を要する。
【課題を解決するための手段】
【０００４】本考案の増毛用作業プレートは増毛用毛髪を仮止めする仮止め手段、自毛を挟むための切欠部等を必要とせず、１枚のプレート適所にある貫通穴と貫通穴に通じる自毛誘導溝のみで形成されており作業工程も少なく施術時間が短縮される。更に人工毛（又は人毛）と自毛を結着させる増毛法において生じる自毛の根本直近への結着による突っ張り感、他の必要ではない毛（短毛、細毛等）を、巻き込んで結着した場合の違和感等の課題を解決する為の増毛用作業用プレートを提供する。【０００５】すなわち本考案の請求項１では、１枚の薄板状プレートと、該プレートの板面に貫通形成された貫通穴と、プレート側面から貫通穴までプレート面を貫通する溝状に形成された自毛誘導溝とからなることを特徴とする増毛用作業用プレート【０００６】また本考案の請求項２では、すなわち頭皮への接合面を高める為、撓曲自在な薄板状の部材で構成されていることを特徴とする、請求項１記載の増毛用作業用プレート。【０００７】プレートの適所にある自毛の根元部分を確認出来るよう設けられた貫通穴である。【０００８】上記プレートの側面に設けられた貫通穴へ通じる自毛誘導溝である。自毛１本のみがこの溝を通り中央の貫通穴へ導かれる、このため他の必要のない毛髪を巻き込むことがない。
【考案の効果】
【０００９】毛髪の仮止め、又は自毛を挟む切欠部等を必要としない為作業時間の短縮が出来る。【０００９】本考案のプレートに適度の厚みを持たせる事により、自毛の根本直近への結着を防ぐ事ができる。更にプレート上で増毛作業が行われるため結着場所が均一化される。【００１０】自毛誘導溝を設ける事で１本の自毛のみを取り出せることで増毛作業の効率を上げることが出来る。【００１１】上記記載の効果により作業時間短縮と増毛を受ける側の不快感を軽減することが出来る。
【図面の簡単な説明】
【００１２】
【図１】増毛作業用プレートの正面図である
【図２】自毛誘導溝を通過させ貫通穴へ自毛が導かれた状態の実施図
【図３】増毛用毛髪の結節用環部に自毛を通した状態の実施図
【図４】プレート上で左右水平に引っ張りながら根本付近へ結着させた実施図
【考案を実施するための形態】
【００１３】最初に本考案に使用するプレート部材について説明する。部材の材質はポリ塩化ビニルである。但し部材の材質については、限定されるものではない。撓曲自在な弾力があり、適度の厚みがあること。厚さについては施術者が自毛の、どの部分への結着を理想とするかによって異なる。
【００１４】次に本考案のプレート適所に位置する貫通穴について説明する。貫通穴の数は複数でも良い。貫通穴の位置はプレートの任意の位置で良い。
【００１５】次に本考案のプレートの側面に設けてある自毛誘導溝について説明する。溝の幅は１本の自毛が抵抗なく通れる程度の幅が好ましい。更に溝の入り口は自毛を誘導し易い様に僅かに面取りを施してある。自毛誘導溝の数は複数でも良い。
【実施例】
【００１６】図１は、増毛作業用プレート１の正面図である。プレート適所に貫通穴２と、１側面より貫通穴２へ通じる自毛誘導溝３を設けてある。【００１７】図２は、自毛誘導溝３を通過させ貫通穴２へ自毛４が導かれた状態の実施図である。自毛の根本を確認後、密着具６（シングルピン等）を用いてプレート１を頭部７に密着させる。【００１８】図３は、増毛用毛髪５の結節用環部９に自毛４を通した状態の実施図である。この後の増毛作業はプレート上の空間で行う（白色のプレートで作業する事で黒い髪が見やすい為）【００１９】図４は、頭部７のプレート上で左右水平に引っ張りながら根本付近へ結着させた結着部８の側面の実施図である。プレート１の厚みがあるので、根本直近への結着を防ぐことが出来る。
【符号の説明】
【００２０】１プレート
２貫通穴
３自毛誘導溝
４自毛
５増毛用毛髪
６密着具（シングルピン等）
７頭部
８結着部
９結節用環部
【図１】
0003158779.tif 000003
【図２】
0003158779.tif 000004
【図３】
0003158779.tif 000005
【図４】
0003158779.tif 000006
【手続補正書】
【提出日】平成22年1月27日(2010.1.27)
【手続補正１】
【補正対象書類名】実用新案登録請求の範囲
【補正対象項目名】全文
【補正方法】変更
【補正の内容】
【実用新案登録請求の範囲】
【請求項１】
１枚の薄板状のプレートと、該プレートの板面に貫通形成された貫通穴とプレート側面から貫通穴までプレート面を貫通する溝状に形成された自毛誘導溝とからなることを特徴とする増毛用作業プレート。
【請求項２】
撓曲自在な薄板状の部材で構成されていることを特徴とする、請求項１記載の増毛用作業プレート。
(57)【要約】      （修正有）【課題】常時携帯が出来、喫煙中の紙巻きたばこを瞬時に消化し、かつ容易に取り出せ再度点火して味を損なうことなく再喫煙する事ができ、又災害も減少さす簡素なホルダーを提供する。【解決手段】紙巻きたばこが入る上部に開口を有し長さ約３センチ以上の円筒状で下部先端が細くなり末端が閉鎖している簡素な物体にストラップを取り付け、常時携帯可能にした携帯エコたばこホルダー。携帯エコたばこホルダーは、１本の紙巻きたばこを変形することなく瞬時消火効果で味も損なわず何回かに吸い分ける事が出来、吸い分ける回数だけ喫煙本数が無理なく減らすことが出来健康面及び経済面にもエコ効果を得ることが出来る。完全消火が可能なもので、火災等の災害の減少にも効果有り、ストラップを取り付ける事により常時携帯する事が出来、場所の限定無く屋外・屋内で常時使用が可能。【選択図】図２
0003158800.tif 000002
【実用新案登録請求の範囲】
【請求項１】
紙巻きたばこが入る上部に開口を有し長さ約３センチ以上の円筒状で下部先端が細くなり末端が閉鎖している簡素な物体にストラップに取り付、常時携帯可能にした携帯エコたばこホルダー。
【考案の詳細な説明】
【技術分野】
【０００１】
本実用新案は、常時携帯が出来、喫煙中の紙巻きたばこを瞬時に消火し、かつ容易に取り出せ再度点火して味を損なうことなく再喫煙する事を目的にする、又災害も減少さす簡素なホルダー。
【背景技術】
【０００２】
従来は紙巻きたばこの喫煙時は１本を最後迄喫煙するか又は途中でもみ消していた再喫煙するもシケモクと言い大変味を損なっていた、他には屋外ポイ捨て又は灰皿での立ち消え・消し忘れと火災等の危険も有った。
【先行技術文献】
【特許文献】
【０００３】
【特許文献１】特許公開２００１−２２４３５２号公報
【特許文献２】特許公開平１０−１３６９６３号公報
【特許文献３】特許公開平０９−３２２７４９号公報
【特許文献４】特許公開平０８−１３１１４７号公報
【特許文献５】特許公開２００２−２８１９５２号公報
【考案の概要】
【考案が解決しようとする課題】
【０００４】
１本の紙巻きたばこを容易に、味を損なうことなく何度かに吸い分けを可能にし、かつ常時携帯する事により屋外ポイ捨て及び灰皿での放置の危険性を防ぐ。
【課題を解決するための手段】
【０００５】
携帯式エコたばこホルダーは、喫煙中の紙巻きたばこの空気を瞬時に遮断して先端の細く絞られた部分で圧迫し変形する事なく瞬時に消火する、ストラップで携帯する事により常時可能な携帯たばこホルダー。
【考案の効果】
【０００６】
携帯エコたばこホルダーは、１本の紙巻きたばこを変形することなく瞬時消火効果で味も損なわず何回かに吸い分ける事が出来る、吸い分ける回数だけ喫煙本数が無理なく減らすことが出来て健康面及び経済面にもエコ効果（愛煙家は１本の３０％ほど吸うとほぼ満足しているもので後は、惰性若しくはもったいないと思いで１本を吸うものである）、完全消火が出来、火災などの災害の減少にも効果有り、ストラップで常時携帯する事により、場所の限定無く屋外・屋内で使用が可能となり常時効果をだす。
【図面の簡単な説明】
【０００７】
【図１】各部図。
【図２】組立図。
【図３】最良の形態図。
【符号の説明】
【０００８】
１  たばこホルダー本体。
２  ストラップ。
３  たばこ。
４  携帯灰皿。
【考案を実施するための形態】
【０００９】
本実用新案は、常時携帯が出来、喫煙中の紙巻きたばこを瞬時に消火し、かつ容易に取り出せ再度点火して味を損なうことなく再喫煙する事を目的にする
【実施例】
【００１０】
携帯エコたばこホルダー紙巻きたばこが入る太さを有し長さ約３センチ以上の筒状で先端が細くなり末端が閉鎖している物体1個をストラップに取り付、首よりぶら下げ屋内外で常時携帯可能する、又携帯灰皿を同帯すれば効果がより向上する  参考図３。
【図１】
0003158800.tif 000003
【図２】
0003158800.tif 000004
【図３】
0003158800.tif 000005
【手続補正書】
【提出日】平成22年1月25日(2010.1.25)
【手続補正１】
【補正対象書類名】実用新案登録請求の範囲
【補正対象項目名】全文
【補正方法】変更
【補正の内容】
【実用新案登録請求の範囲】
【請求項１】
紙巻きたばこが入る開口を上部に有し長さ約３センチ以上の円筒状で下部先端が細くなり末端が閉鎖している簡素な物体をストラップに取り付、常時携帯可能にした携帯エコたばこホルダー。
(57)【要約】【課題】  天板の面積が増減可能で折り畳める構造の脚部を持ち、２分割された天板の間に補助天板を加えて面積を増加することが出来るテーブルで、使用時や移動の際に可動の天板が動かないように固定できるようにしたテーブルを提供する。【解決手段】  テーブル天板のスライド支持枠にストッパーを取り付けたことを特徴とする。【選択図】図２
0003158791.tif 000002
【実用新案登録請求の範囲】
【請求項１】
天板の面積が増減可能で、折り畳める構造の脚部を持ち、２分割された天板の間に補助天板を加えて面積を増加できるテーブルで、使用時や移動の際に、可動天板が動かないように固定できるストッパーを備えたテーブル
【考案の詳細な説明】
【考案の詳細な説明】
【産業上の利用分野】
【０００１】本考案は折り畳める構造の脚部を持ち、２分割された天板の間に補助天板を加えることにより面積を増加することができるテーブルに係るものである
【考案が解決しようとする課題】
【０００２】従来から、天板の面積が増減可能で、折り畳める構造の脚部を持ち、２分割された天板の間に補助天板を加えて面積を増加出来るテーブルが考案、使用されているが、天板面積を増加して使用の際、脚を折り畳む時や、移動、立掛ける時に、天板可動部が固定されていない為、補助天板が外れてしまう状態だった。
天板面積を増加した状態で、脚を折り畳んだり、移動、立掛けても、補助天板が外れてしまわないテーブルを提供する
【課題を解決する為の手段】
【０００３】室内掃除やテーブル移動途中で、補助天板が外れてしまわないようにするため、２分割された左右天板のスライド枠部分にストッパーを取り付けることにより、テーブル移動時でも天板の動きをなくすことができ、補助天板が外れることがなくなるようにした。
【考案を実施するための形態】
【０００４】２分割した天板（１）（２）と天板（１）を支持するスライド枠（Ａ）、天板（２）を支持するスライド枠（Ｂ）折り畳み可能な脚部（Ｃ）、天板面積を増加する為の補助天板（Ｄ）から構成されるテーブルで、支持枠（Ａ）にストッパー（Ｅ）が取り付けてあり、天板（１）（２）はストッパー（Ｅ）を操作しないと動かない構造にしてある。
【図面の簡単な説明】
【０００５】
【図１】  本考案の第一形態例を示す物で斜視図である
【符号の説明】
【０００６】（１）    ２分割された天板
（２）    ２分割された天板
（Ａ）    天板（１）を支持する枠
（Ｂ）    天板（２）を支持する枠
（Ｃ）    折り畳み可能な脚部
（Ｅ）    本考案を特徴付けるストッパー
【図２】
本考案の第一形態例を示す物で天板面積を増加した時の斜視図である
【符号の説明】
【０００７】（Ｄ）    補助天板
【図１】
0003158791.tif 000003
【図２】
0003158791.tif 000004
【手続補正書】
【提出日】平成22年2月18日(2010.2.18)
【手続補正３】
【補正対象書類名】明細書
【補正対象項目名】全文
【補正方法】変更
【補正の内容】
【考案の詳細な説明】
【技術分野】
【０００１】本考案は折り畳める構造の脚部を持ち、２分割された天板の間に補助天板をを加えることにより面積を増加することが出来るテーブルに係るものである。
【考案が解決しようとする課題】
【０００２】従来から、天板の面積が増減可能で、折り畳める構造の脚部を持ち、２分割された天板の間に補助天板を加えて面積を増加出来るテーブルが考案、使用されているが、天板面積を増加して使用の際、脚を折り畳む時や、移動時、立掛ける時に、天板可動部が固定されていない為、補助天板が外れてしまうことがあり、危険だった。
天板面積を増加した状態で、脚を折り畳んだり、移動、立掛けても、補助天板が外れないテーブルを提供する。
【課題を解決する為の手段】
【０００３】室内掃除やテーブル移動途中で、補助天板が外れてしまわないようにするため、２分割された左右天板のスライド枠部分にストッパーを取り付けることにより、テーブル移動時でも天板の動きをなくすことができ、補助天板が外れることがなくなるようにした。
【図面の簡単な説明】
【０００４】
【図１】本考案の第一形態例を示す物で斜視図である
【図２】本考案の第一形態例を示す物で天板面積を増加した時の斜視図である
【考案を実施するための形態】
【０００５】２分割した天板（１）（２）と天板（１）を支持するスライド枠（Ａ）、天板（２）を支持するスライド枠（Ｂ）折り畳み可能な脚部（Ｃ）、天板面積を増加する為の補助天板（Ｄ）から構成されるテーブルで、支持枠（Ａ）にストッパー（Ｅ）が取り付けてあり、天板（１）（２）はストッパー（Ｅ）を操作しないと動かない構造にしてある。
【符号の説明】
【０００６】（１）      ２分割された天板
（２）      ２分割された天板
（Ａ）      天板（１）を支持する枠
（Ｂ）      天板（２）を支持する枠
（Ｃ）      折り畳み可能な脚部
（Ｄ）      補助天板
（Ｅ）      本考案を特徴付けるストッパー